(57)【要約】【課題】浴槽に浸かっている人にとって、シャワーカーテンの裾部がじゃまにならないようにし、シャワーを浴びている人の身体に、纏わりつきにくくすること。【解決手段】シャワーカーテンの裾部を二股に分けてユニットバスの天井付近から左右に動かすことができるように吊るし、短めにした裾部を浴槽の中に垂らす内側の裾部とし、浴槽の外に垂らす裾部を外側の裾部とし、内側の裾部と外側の裾部で、浴槽へ出入りする側の上縁を、挟み込むようにして使用することで、浴槽に浸かった際、裾部がじゃまになりにくくなり、さらに、シャワーを浴びている際も、身体に纏わりにくくなる。【選択図】図１
2005066293.tif 000002
【特許請求の範囲】
【請求項１】
ユニットバス（４）の浴槽（５）で、シャワーを浴びるとき、湯水が飛び散って、浴槽（５）の外側のユニットバスの床（１０）を濡らしてしまわないように、シャワーカーテン本体（１）の上側に、主に穴部（１１）設け、穴部（１１）にポリフック（８）や金属フックを取り付けておいてユニットバス（４）の天井に設けたカーテンレール（７）から吊り下げるか、穴部（１１）にカーテンポール用リングライナーを取り付けて天井付近に渡したカーテンポールから吊り下げているシャワーカーテン本体（１）の裾部分を内側の裾部（２）と外側の裾部（３）の二股に分け、浴槽（５）の中に垂らす内側の裾部（２）の下端の長さを、少なくとも、浴槽（５）へ出入りする側（６）の上縁を覆いながら、上縁付近から浴槽（５）に溜めた湯面（９）付近か、湯面（９）から少し潜り込ませるくらいの位置に来るように短くすることで、内側の裾部（２）を浴槽（５）の中に入れ、外側の裾部（３）を浴槽（５）の外に垂らし、浴槽（５）の外に垂らす外側の裾部（３）と、浴槽（５）の中に垂らす内側の裾部（２）で、浴槽（５）の出入りする側（６）の上縁を挟み込んで使用することで、従来の上から下まで一枚物のシャワーカーテン本体（１）の裾部のように、湯面（９）より深く、浴槽（５）の底付近まで垂らすことによって、浴槽（５）に浸かっている人のじゃまになることを改善するとともに、さらに、裾部が、浴槽（５）に溜めた湯水の中で泳いでしまうことで、シャワーカーテン本体（１）がよれたり、波打つように動き、シャワーを浴びている人の身体にシャワーカーテン本体（１）が纏わりつくことを改善するために、シャワーカーテン本体（１）の裾部を内側の裾部（２）と外側の裾部（３）の二股に分けたシャワーカーテン。
【発明の詳細な説明】
【発明の詳細な説明】
【技術分野】
【０００１】  シャワーカーテンの裾部を二股にし、浴槽の中に垂らす内側の裾部の下端の長さを、少なくとも、浴槽へ出入りする側の上縁を覆いながら、上縁付近から浴槽に溜めた湯面付近か、湯面から少し潜り込ませるくらいの位置に来るように短めにして内側の裾部を浴槽の中に垂らし、外側の裾部を浴槽へ出入りする側の上縁から浴槽の外に垂らすことで、シャワーを浴びるとき、従来の一枚物のシャワーカーテンと同じく、浴槽の外側に湯水が飛び散ってしまうことを防ぎながら、浴槽の中でシャワーカーテンの裾部がじゃまになりにくくし、さらに、浴槽に溜めた湯水の中で裾部が泳ぐことで、シャワーカーテンがよれたり、波打つように動いて、シャワーを浴びている人の身体に、シャワーカーテンが纏わりつきにくく為されたシャワーカーテンに関する。
【背景技術】
【０００２】  ユニットバスで使用する従来のシャワーカーテンは、上側から下側まで一枚もので、浴槽に入る側の天井に設けたカーテンレールや、天井付近に渡したカーテンポールから吊り下げて、床方向に垂らしたシャワーカーテンを左右に動かせるようにし、使用するときは、浴槽へ出入りする側からシャワーカーテンの裾部を浴槽の中へ、溜めた湯面から深く垂らし、浴槽へ出入りする側をシャワーカーテンで遮るようにして使用していたため、シャワーカーテンの裾部が湯水を溜めた浴槽の中で波打つように泳いで動き、浴槽の中でじゃまになったり、シャワーを浴びているとき、シャワーカーテンが身体に纏わりつくことがあった。従来の先行技術としては、一枚物のシャワーカーテンの長さを短くしたり、身体に纏わりつきにくい材質でシャワーカーテンを作製する方法しかなかった。
【発明が解決しようとする課題】
【０００３】  ユニットバスで使用する従来のシャワーカーテンは、上側から下側まで一枚もので、浴槽に入る側の天井に設けたカーテンレールや、天井付近に渡したカーテンポールから吊り下げて、床方向へ垂らしたシャワーカーテンを左右に動かして開くようにし、使用するときは、浴槽へ出入りする側からシャワーカーテンの裾部を浴槽の中へ垂らし、溜めた湯面から浴槽の中に深く垂らし、シャワーカーテンの一方の端部を動かして、浴槽へ出入りする側をシャワーカーテンで遮るようにして使用していたため、湯水を溜めた浴槽の中に垂らしたシャワーカーテンの裾部が、浴槽の湯水の中波打つように泳いで動き、浴槽の中で、浴槽に浸かっている人のじゃまになったり、シャワーを浴びているとき、シャワーカーテンが身体に纏わりつくことがあり、纏わりついたシャワーカーテンが気持ち悪かったり、冬季はシャワーカーテンが身体に纏わりつき冷たくてビクッと驚くことがあり、浴槽外に湯水が飛び散ることを防ぐ従来の特長を残したまま、浴槽の中でじゃまになりにくく、さらに、浴槽の湯水の中で、シャワーカーテンの裾部が波打つように泳いで動き、シャワーを浴びているとき、シャワーカーテンが身体に纏わりつきにくく為されたシャワーカーテンが求められていた。
【課題を解決するための手段】
【０００４】  従来の上から下まで一枚物のシャワーカーテンの長さを短くすることで、浴槽の中で、湯水に浸かっている人のじゃまになりにくくなるが、シャワーカーテンが短い一枚物であると、身体を動かしているうちに誤って浴槽の中に垂らしていたシャワーカーテンの裾部が浴槽の外に垂れてしまい、シャワーを浴びているときに、シャワーカーテンに飛び散った湯水によって、浴槽の外のユニットバスの床を濡らしてしまうことが生じかねないので、シャワーカーテンの裾部を内側の裾部と外側の裾部の二股に分け、浴槽の中に垂らす内側の裾部の下端の長さを、少なくとも、浴槽へ出入りする側の上縁を覆いながら、上縁付近から浴槽に溜めた湯面付近か、湯面から少し潜り込ませるくらいの位置に来るように短めにして浴槽の中に垂らし、外側の裾部は浴槽の外に垂らせるシャワーカーテンとすることで、内側の裾部は、浴槽へ出入りする側の上縁付近から浴槽に溜めた湯水の湯面付近か、湯面から少し潜るくらい短くなっており、浴槽の外に垂らしているシャワーカーテン外側の裾部に接続されているので、浴槽の中に垂らした内側の裾部は、浴槽の中に溜めた湯水の中を大きく波打つように、泳いで動くことが少なくなり、浴槽に浸かっている人のじゃまになりにくく、また、浴槽の外に垂らしたシャワーカーテン外側の裾部と、浴槽の内側に垂らしたシャワーカーテン内側の裾部で、浴槽へ出入りする側の上縁を挟んでいるので、従来の上から下まで一枚物のシャワーカーテンを単純に短めにするより、シャワーを浴びているときに身体を動かしても、誤って、シャワーカーテン内側の裾部が浴槽の外に垂れてしまうようなことが殆どなくなり、シャワーカーテンに飛び散った湯水を遮って、浴槽の外のユニットバスの床を濡らすことも殆どなくなるのである。
【発明を実施するための最良の形態】
【０００５】  本発明は、ユニットバスで使用されることの多いシャワーカーテンの裾部を内側の裾部と外側の裾部の二股に分けることにより、浴槽に浸かっているとき、シャワーカーテンの裾部がじゃまになりにくくし、さらに、シャワーを浴びているとき、シャワーカーテンが身体に纏わりつきにくくするものである。【０００６】  裾部が、内側の裾部と外側の裾部の二股に分かれたシャワーカーテンを使用するときは、浴槽へ出入りする側の天井から吊り下げるか、天井付近に取り付けた棒状体のカーテンポールに吊り下げて、シャワーカーテンを左右に動かし、浴槽に出入りする側をシャワーカーテンで遮るようにしながら、内側の裾部を、浴槽へ出入りする側の上縁を覆うようにして浴槽の中に入れて垂らし、外側の裾部を、浴槽へ出入りする側の上縁から浴槽の外側に垂らして、浴槽へ出入りする側の上縁を、内側の裾部と外側の裾部で挟み込むようにして使用するのである。【０００７】  裾部を内側の裾部と外側の裾部に分けて二股にする位置は、天井や天井付近から吊り下げたシャワーカーテンの高い位置から二股に分けると、従来のシャワーカーテンと同じように、内側の裾部がシャワーを浴びている人と接触しやすくなるので、浴槽へ出入りする側の上縁の高さを考慮しながら、天井や天井付近から吊り下げて垂らしたシャワーカーテンの裾部の二股に分かれた部分が、浴槽に出入りする側の上縁の少し上方に来るように位置決めして、シャワーカーテンの裾部の二股に分ける位置を決めると効果的である。【０００８】  シャワーカーテンを内側の裾部と外側の裾部の二股に分ける方法は、一枚物のシャワーカーテンの裾部を内側の裾部と外側の裾部に分かれるように一体で作製しても、従来の一枚物のシャワーカーテンに内側の裾部を取り付けて作製しても、一枚物のシャワーカーテンを短めにして内側の裾部として、外側の裾部を取り付けて作製しても、二枚のシャワーカーテンを用いて、上側部分を張り合わせ、下側の裾部分は張り合わせず内側の裾部と外側の裾部に分けたりして、シャワーカーテンの裾部が二股に分かれていれば、どのようにシャワーカーテンを作製しても良いのである。また、シャワーカーテンは、なるべく厚さが薄いものを用いると、天井や天井付近から吊り下げたシャワーカーテンを左端や右端に寄せて束ねた際、嵩張りを少なくでき効果的である。【０００９】  シャワーカーテンの裾部を内側の裾部と外側の裾部の二股に分けることで、浴槽に出入りする側の浴槽の上縁を、シャワーカーテンの裾部で挟むように、内側の裾部を浴槽の中に入れ、外側の裾部を浴槽の外に垂らして使用することで、浴槽の外に垂らしたシャワーカーテンの外側の裾部に支えられているので、湯水を溜めた浴槽の中で、シャワーカーテンの内側の裾部が、よれたり、波打つように泳いで大きく動くことがなくなり効果的である。【００１０】  シャワーカーテンの裾部を内側の裾部と外側の裾部の二股に分けても、浴槽へ出入りする側の上縁の少し上方で、内側の裾部と、外側の裾部に分かれているだけなので、従来の一枚物のシャワーカーテンと同様に、浴槽やシャワーから飛び散る湯水を遮ることに問題はないのである。【００１１】  シャワーカーテンの内側の裾部の長さは、従来のシ���ワーカーテンのように、浴槽の中の底近くまで届くような長さにする必要はなく、内側の裾部の下端が、少なくとも、浴槽へ出入りする側の上縁を覆って、浴槽の中に少し垂れていれば良く、長くする場合でも、浴槽の中に垂らして、浴槽に湯水を溜めた湯面付近や、湯面から少し潜るくらいの位置に来るくらいの長さがあれば十分であり、内側の裾部の長さを、外側の裾部より短くしても、浴槽へ出入りする側の外に垂らした外側の裾部で支えられているので、入浴やシャワーを浴びているとき、内側の裾部が、自然に、浴槽へ出入りする側の上縁から浴槽の外に引っ張り出されて垂れることはないのである。【００１２】  また、浴槽へ出入りする側に排水溝が設けられているユニットバスの場合は、内側の裾部の下端が排水溝を塞がないように、排水溝の上側に位置する長さにすると、排水溝を塞いで、浴槽に溜めた湯水が浴槽から溢れさせることがなく効果的である。【００１３】  シャワーカーテンを天井付近から吊り下げて浴槽へ出入りする側を遮るように使用する外側の裾部の横幅は、シャワーを浴びているときの湯水が浴槽の外側に飛び散ることがなくなるように、浴槽へ出入りする側を遮れるような横幅があった方が良いが、内側の裾部の横幅は、浴槽に出入りする側の上縁から左右の奥に続く上縁や、洗面台の下側など、内側の裾部を浴槽へ出入りする側の上縁を覆うのにじゃまになる場合は、浴槽の外側に垂らす外側の裾部の横幅と同じでなく良く、外側の裾部の横幅に比べて、内側の裾部の横幅を狭くしても良いのである。【００１４】  シャワーカーテンの外側の裾部の長さは、浴槽へ出入りする側の上縁から浴槽の外へ垂らすことができれば、内側の裾部と同じ長さでも、内側の裾部より短めにしても良いが、外側の裾部は、内側の裾部より長くして、浴槽へ出入りする側の上縁から床までの間の長さで、内側の裾部の長さより長くして垂らしておけば、内側の裾部を、浴槽の中に垂らしたとき、浴槽へ出入りする側の上縁を、内側の裾部と外側の裾部で挟み込んで、ある程度、内側の裾部と外側の裾部で固定するように支えることができ、浴槽へ出入りする側の上縁から浴槽の中へ垂らしている内側の裾部がより動きにくくなり、浴槽に浸かっている人のじゃまにならないようにできる。【００１５】  シャワーカーテンの材質は、従来と同じように、ポリエステルやナイロンなどの合成樹脂シートを用いて良いのであるが、裾部が内側の裾部と外側の裾部の二股に分かれているシャワーカーテンなので、なるべく薄く、柔らかい材質で、撥水性を有していた方が、シャワーカーテンを動かしているときスムーズに動かすことができ、カーテンレールの左端や右端に束ねているとき嵩張らないので効果的である。また、ポリエステルやナイロンなどを用いると、一般家庭向きに色柄デザインをいろいろ作製することが可能になり、塩化ビニールやＥＶＡなどの材質を使用すると、色柄デザインに制約が出てきますが難燃性を高めることができるので、ホテルなどの業務用で使用することができるようになり効果的である。【００１６】  ユニットバスの型式によって、浴槽へ出入りする側の上縁の形状が均一ではなく、上縁の幅の広さが違ったり、上縁が直線状であったり、浴槽へ出入りする側が浴槽の中側や外側に緩やかに湾曲していたりしているので、シャワーカーテン本体の内側の裾部は、なるべく薄く、なるべく柔らかい材質にすると、内側の裾部で、浴槽へ出入りする側の上縁を覆うとき、上縁の幅の広さや形状が違っても、上縁に沿って、上縁を覆い、内側の裾部の下端は、上縁から浴槽へ出入りする側の内面に沿わせながら、浴槽の中へ垂れ下がらせやすくなるので効果的である。【００１７】  浴槽にシャワーカーテンを取り付けるときは、従来と同じように、浴槽に出入りする側の天井にカーテンレールを設けて、シャワーカーテンの上側に穴部を設けて、その穴部にポリフックや金属フックを取り付けてカーテンレールに吊るして取り付けたり、天井付近にカーテンポールを、浴槽へ出入りする側の上縁と平行に渡して取り付けて、カーテンポールに取り付けるためのレールパーツであるカーテンポール用リングランナーをシャワーカーテンの上側に設けた穴部に取り付けて吊り下げたりして、浴槽に出入りする側で、シャワーカーテンを引いて遮ったり、シャワーカーテンを左右に動かせるようにすると便利である。【００１８】  また、シャワーカーテンを取り付けたとき、天井の高さや浴槽へ出入りする側の高さがそれぞれメーカーや型式で異なるので、シャワーカーテンを内側の裾部と外側の裾部の二股に分けた位置が、浴槽へ出入りする側の上縁の上方の丁度よい位置に来るように調整できるようにするために、シャワーカーテンをカーテンレールやカーテンポールに取り付ける際、ポリフックや金属フック、リングランナーの一個、一個を縦に接続させて長さを調節したり、長さを調節できるチャーンで吊るすことことにより、天井や天井付近から吊るしたシャワーカーテンの高さを調節できるようになり、シャワーカーテンの上側と、取り付けている天井付近に隙間ができていても、故意にシャワーノズルをシャワーカーテンを取り付けた天井付近に向けて湯水を飛ばさない限り、シャワーカーテンを取り付けた天井付近から湯水が浴槽の外側へ飛び散ることはほとんどなく、差し障りが少ないので、シャワーカーテンをカーテンレールやカーテンポールに取り付ける際、ポリフックや金属フック、リングランナーを用いて、シャワーカーテンを内側の裾部と外側に裾部の二股に分けた位置が、浴槽へ出入りする側の上縁の少し上方の、丁度よい位置に来るように調整できるようにすれば効果的である。
【実施例】
【００１９】  実施例について図面を参照して説明すると、図１は、本発明の実施例を示す正面図であり、シャワーカーテン本体（１）の裾部を、内側の裾部（２）と外側の裾部（３）の二股に分け、シャワーカーテン本体（１）の上側に穴部（１１）を設ける。【００２０】  図２では、本発明の使用状態を浴槽（５）の内側から見たときの正面図であり、シャワーカーテン本体（１）の上側に設けた穴部（１１）にポリフック（８）を取り付け、ポリフック（８）で、ユニットバス（４）などの浴室の天井に設けたカーテンレール（７）から吊り下げられたシャワーカーテン本体（１）を、浴槽（５）へ出入りする側（６）を遮るように引いて動かすとき、シャワーカーテン本体（１）の内側の裾部（２）は、浴槽（５）へ出入りする側（６）から浴槽（５）の上縁を覆って浴槽（５）の中へ垂らし、シャワーカーテン本体（１）の外側の裾部（３）は、浴槽（５）へ出入りする側（６）の上縁から浴槽（５）の外、つまり、ユニットバス（４）の床（１０）側へ垂らして使用するのである。【００２１】  図３では、本発明の使用状態を浴槽（５）の外側から見たときの正面図であり、シャワーカーテン本体（１）の上側に設けた穴部（１１）にポリフック（８）を取り付け、ポリフック（８）で、ユニットバス（４）などの浴室の天井に設けたカーテンレール（７）から吊り下げて取り付けられたシャワーカーテン本体（１）を、浴槽（５）へ出入りする側（６）を遮るようにシャワーカーテン本体（１）を引いて動かすとき、シャワーカーテン本体（１）の外側の裾部（３）は、浴槽（５）へ出入りする側（６）の上縁から浴槽（５）の外、つまり、ユニットバス（４）の床（１０）側へ垂らしながら、シャワーカーテン本体（１）の内側の裾部（２）は、浴槽（５）へ出入りする側（６）から浴槽（５）の上縁を覆って浴槽（５）の中へ垂らして、浴槽（５）へ出入りする側（６）を遮るようにシャワーカーテン本体（１）を引いて使用するのである。【００２２】  図４では、浴槽（５）へ出入りする側（６）の上縁への取り付け状態を示す断面図であり、シャワーカーテン本体（１）の上側に設けた穴部（１１）に取り付けたポリフック（８）によって、天井のカーテンレール（７）から吊り下げられたシャワーカーテン本体（１）の裾部を、浴槽（５）へ出入りする側（６）の上縁への取り付けるとき、ユニットバス（４）の天井に設けたカーテンレール（７）から吊るして垂らしたシャワーカーテン本体（１）を、カーテンレール（７）に沿って、浴槽（５）へ出入りする側（６）を遮るように引いて動かし、浴槽（５）へ出入りする側（６）の上方で二股に分かれているシャワーカーテン本体（１）の裾部うち、外側の裾部（３）を浴槽（５）の外へ垂らし、内側の裾部（２）を上縁を覆うようにしながら浴槽（５）の中へ垂らすことで、従来の一枚物のシャワーカーテンと同じように、浴槽（５）側から飛び散った湯水で、浴槽（５）外側のユニットバス（４）の床（１０）を濡らすことない上に、加えて、浴槽（５）へ出入りする側（６）の上縁を、内側の裾部（２）と外側の裾部（３）で挟み込んで、ある程度、固定するように支えている状態になっているので、浴槽（５）の中で、シャワーを浴びていて���内側の裾部（２）の下端が、浴槽（５）に溜めた湯水の中で泳いで大きく動いて、シャワーを浴びている人に纏わりつくことも少なくなる上に、湯水を溜めた浴槽（５）の中で、内側の裾部（２）の下端が、浴槽（５）へ出入りする側（６）の上縁を覆うようにして、浴槽（５）に溜めた湯水の湯面（９）付近に位置させておけば、従来のように、浴槽（５）に横たわって浸かっている人のじゃまになることがほとんどなくなるのである。【００２３】  シャワーカーテン本体（１）の内側の裾部（２）は、長くし過ぎて、従来の一枚物のシャワーカーテンと同じく、湯水を溜めた浴槽（５）の中でじゃまにならず、短くし過ぎて、浴槽（５）の中で浸かっている人が動いただけで、浴槽（５）の中に垂らしていた内側の裾部（２）が、浴槽（５）へ出入りする側（６）から外側に引っ張り出されて、浴槽（５）からやシャワーを浴びているとき、飛び散った湯水が浴槽（５）の外のユニットバス（４）の床（１０）を濡らさないような長さ、つまり、浴槽（５）の中に湯水を溜めると、浴槽（５）の上側に取り付けてある排水口（１２）から排水され、排水口（１２）より上に湯水は溜まらないので、浴槽（５）に湯水を溜めたとき、少なくとも内側の裾部（２）で、浴槽（５）の出入りする側（６）の上縁を覆っている状態の位置から浴槽（５）に溜めた湯水の上面である湯面よりやや上側の位置くらいか、湯面と同じくらいの位置か、湯面を少し潜るくらいの位置の間に、内側の裾部（２）の下端が来るように、内側の裾部（２）の長さを調節すると効果的である。【００２４】  シャワーカーテン本体（１）の外側の裾部（３）は、従来の一枚物のシャワーカーテンと同じくらいの長さでも良く、浴槽（５）に出入りする側（６）の上縁から浴槽（５）の外に垂らしておいた外側の裾部（３）が、浴槽（５）に浸かっている人が動くことで、容易に、浴槽（５）の内側に垂れないように、少なくとも、浴槽（５）に出入りする側（６）の上縁より下側に垂れ下がっている長さから、ユニットバス（４）の床（１０）までの長さの間で決めると効果的である。【００２５】  シャワーカーテン本体（１）の裾部を、内側の裾部（２）と外側の裾部（３）の二股に分ける位置は、浴槽（５）へ出入りする側（６）の浴槽（５）の出入りする側（６）の上縁の高さがメーカーや型式でそれぞれ異なるため、浴槽（５）へ出入りする側（６）に、シャワーカーテン本体（１）を垂らした際、浴槽（５）へ出入りする側（６）の浴槽（５）の上縁から、浴槽（５）の中へ内側の裾部（２）を垂らし、外側の裾部（３）を浴槽（５）の上縁から外へ垂らすことができるように、シャワーカーテン本体（１）を吊り下げる天井や天井付近から浴槽（５）の上縁の高さを考慮して、大体、浴槽（５）の出入りする側（６）の上縁付近の上方に、シャワーカーテン本体（１）下側が、内側の裾部（２）と外側の裾部（３）として二股に分かれる位置が来るようにすると効果的である。【００２６】  シャワーカーテン本体（１）の材質は、従来の一枚物のシャワーカーテンと同じように、撥水性を有しているポリエステルや塩化ビニール、ＥＶＡ、ナイロンなどの合成樹脂を用いて軟質シート状に作製して良いのであり、一般家庭用、業務用など��用先によって材質をかえると効果的である。また、裾部が内側の裾部（２）と外側の裾部（３）の二股に分かれているため、なるべく、薄く、柔らかい性質の材質を用いたシート状に作製すると、カーテンレール（７）に沿って、シャワーカーテン本体（１）を左右に動かすときスムーズに動かしやすくなり、カーテンレール（７）の左端や右端に束ねる際も、嵩張りにくくなり効果的であり、内側の裾部（２）と外側の裾部（３）の材質は、同じでも、異なっていてもどちらでも良いのである。【００２７】  シャワーカーテン本体（１）を浴槽（５）へ出入りする側（６）に取り付けるときは、ユニットバス（４）の浴槽（５）へ出入りする側（６）をシャワーカーテン本体（１）で遮ったり、シャワーカーテン本体（１）を左右に移動させることができれば、ユニットバス（４）の浴槽（５）へ出入りする側（６）の天井に設けたカーテンレール（７）に、シャワーカーテン本体（１）の上側に設けた穴部（１１）に、取り付けたポリフック（８）などで吊るして取り付けても、天井付近に棒状体のカーテンポールを浴槽（５）へ出入りする側（６）の上縁に平行になるように渡して、シャワーカーテン本体（１）の上側に設けた穴部（１１）に、シャワーカーテンポール用リングライナーを取り付けて、カーテンポールからシャワーカーテン本体（１）を吊るして取り付けてもどちらでも良いのである。【００２８】  本発明は、シャワーカーテン本体（１）の裾部を内側の裾部（２）と外側の裾部（３）に分けて二股にすることで、湯水を溜めた浴槽（５）の中で、シャワーカーテン本体（１）の裾部がじゃまになりにくく、また、シャワーカーテン本体（１）の裾部が浴槽に溜めた湯水の中で大きく泳いで動き、身体に纏わりつきにくくするものであり、シャワーカーテン本体（１）のデザインや意匠、取り付け方を述べているものではないのである。
【発明の効果】
【００２９】  本発明は、以上述べてきたような内容で実施され、以下に記載されるような効果を奏する。
【００３０】  本発明のシャワーカーテンを使用することで、従来の一枚物のシャワーカーテンと同じように、浴槽やシャワーを浴びているときに飛び散った湯水が、浴槽の外側の床を濡らさないように遮ることに加えて、シャワーカーテンの裾部が二股に分かれているので、浴槽に出入りする側の上縁を、内側の裾部と、外側の裾部で挟むように使用するため、シャワーカーテンの裾部が浴槽に溜めた湯水の中で泳ぎ、シャワーカーテンの下端が大きく波打ったり、大きく泳ぐことがなくなるので、浴槽に浸かっている人のじゃまになりにくくなり効果的である。
【００３１】  従来の一枚物のシャワーカーテンでは、浴槽の外側に裾部がはみ出さないように、浴槽の底に届くくらい長く作られているので、浴槽に身体を浸けているとき、シャワーカーテンの裾部が湯水を溜めた浴槽の中を泳いで動き、浴槽に横たえている身体の横側に接触して嫌な思いをしていたが、シャワーカーテンの内側の裾部を短くすることにより、浴槽の中で、身体を横たえていても、殆ど身体に接触することがなくなり効果的である。
【００３２】  従来の一枚物のシャワーカーテンの裾部は、湯水を溜めた浴槽の底に届くくらい長かったため、浴槽に身体を浸けるとき、誤って、シャワーカーテンの裾部を身体の下に巻き込んで、引っ張り下げて、シャワーカーテンを吊り下げているカーテンレールから外れてしまうことがあったが、内側の裾部を短くすることで、浴槽に浸かっているとき、シャワーカーテンの裾部を、誤って、身体の下に巻き込んで引っ張り下げることがなくなるのである。
【００３３】  浴槽に湯水を溜めたまま、浴びているシャワーが飛び散って浴槽の外のユニットバスの床を濡らさないように、シャワーカーテンを引いてシャワーを浴びる際、シャワーカーテンの裾部が浴槽に溜めた湯水の中で泳ぎ、シャワーカーテンが大きく波打ったり、動くことで身体と接触し、シャワーカーテンに身体が触れたとき、お互い濡れていることもあり、身体にシャワーカーテンが纏わりつきやすくなるが、本発明の裾部が二股に分かれたシャワーカーテンは、浴槽に出入りする側の上縁を、内側の裾部と、外側の裾部で挟むように使用するため、シャワーカーテンの裾部が浴槽に溜めた湯水の中で波打つように動くことが少なくなり、身体にシャワーカーテンが纏わりつくこともほとんどなくなり、特に、冬季において、冷たい水滴が付着しているシャワーカーテンが身体に纏わりついてびっくりして嫌な思いをすることが殆どなくなり効果的である。
【００３４】  天井付近からシャワーカーテンを吊り下げると、シャワーカーテン上側を一定の間隔でポリフックなどで天井付近から吊るしてシャワーカーテンの下端全てを浴槽の中に垂らしているため、浴槽へ出入りする側の浴槽内面と、垂らしたシャワーカーテンの下側の外面との間には、シャワーカーテンがよれて、部分的に隙間を作りやすくなり、シャワーを浴びるとき、シャワーを浴びている人の身体にシャワーカーテンが接触しやすくなってしまうが、本発明のシャワーカーテンでは、従来の一枚物のシャワーカーテンに比べて、浴槽へ出入りする側の浴槽内面に、内側の裾部の内面が張り付き、外側の裾部は浴槽の外に垂らしているので、シャワーカーテンがよれたり、動いたりして、シャワーを浴びている人の身体に接触しにくくなり効果的である。
【００３５】  従来の一枚物のシャワーカーテンは、浴槽へ出入りする側の真上の天井の位置から吊るしていたので、裾部を浴槽の中へ斜め方向に吊るすことになり、シャワーカーテンを引いてシャワーを浴びるときなど、浴槽の上方が狭くならざるを得なかったが、本発明のシャワーカーテンは、外側の裾部と内側の裾部で浴槽へ出入りする側の上縁を覆って挟んでいる状態になっているので、浴槽の浴槽へ出入りする側の真上の位置からシャワーカーテンを吊るしても、外側の裾部はまっすぐ浴槽の外側に垂れ下がり、浴槽の上方のスペースを広くすることができ、さらに、浴槽の外側に少し移動させた天井の位置からシャワーカーテンを吊るしても、使用上、問題がないので、シャワーカーテンを吊るす位置を浴槽へ出入りする側の真上から浴槽の外側に少し移動させてシャワーカーテンを吊るすことで、シャワーカーテンを引いたとき、浴槽の上方のスペースをより広がらせることができ、シャワーを浴びるとき、身体を動かしても、浴槽へ出入りする側で引いて遮っているシャワーカーテンに身体が接触しにくくなる上に、シャワーを浴びているとき身体を動かしやすくすることができるようになり便利である。
【図面の簡単な説明】
【図１】  本発明の実施例を示す正面図である。
【図２】  本発明の使用状態を浴槽の内側から見た正面図である。
【図３】  本発明の使用状態を浴槽の外側から見た正面図である。
【図４】  シャワーカーテンの取り付け状態を示す断面図である。
【符号の説明】
１    シャワーカーテン本体
２    内側の裾部
３    外側の裾部
４    ユニットバス
５    浴槽
６    出入り側
７    カーテンレール
８    ポリフック
９    湯面
１０  床
１１  穴部
１２  排水口
【手続補正書】
【提出日】平成15年11月18日(2003.11.18)
【手続補正１】
【補正対象書類名】明細書
【補正対象項目名】全文
【補正方法】変更
【補正の内容】
【発明の詳細な説明】
【技術分野】
【０００１】  本発明は、シャワーカーテンの裾部を二股にし、浴槽の中に垂らす内側の裾部の下端の長さを、少なくとも、浴槽へ出入りする側の上縁を覆いながら、上縁付近から浴槽に溜めた湯面付近か、湯面から少し潜り込ませるくらいの位置に来るように短めにして内側の裾部を浴槽の中に垂らし、外側の裾部を浴槽へ出入りする側の上縁から浴槽の外に垂らすことで、シャワーを浴びるとき、従来の一枚物のシャワーカーテンと同じく、浴槽の外側に湯水が飛び散ってしまうことを防ぎながら、浴槽の中でシャワーカーテンの裾部がじゃまになりにくくし、さらに、浴槽に溜めた湯水の中で裾部が泳ぐことで、シャワーカーテンがよれたり、波打つように動いて、シャワーを浴びている人の身体に、シャワーカーテンが纏わりつきにくく為されたシャワーカーテンに関する。
【背景技術】
【０００２】  ユニットバスで使用する従来のシャワーカーテンは、上側から下側まで一枚もので、浴槽に入る側の天井に設けたカーテンレールや、天井付近に渡したカーテンポールから吊り下げて、床方向に垂らしたシャワーカーテンを左右に動かせるようにし、使用するときは、浴槽へ出入りする側からシャワーカーテンの裾部を浴槽の中へ、溜めた湯面から深く垂らし、浴槽へ出入りする側をシャワーカーテンで遮るようにして使用していたため、シャワーカーテンの裾部が湯水を溜めた浴槽の中で波打つように泳いで動き、浴槽の中でじゃまになったり、シャワーを浴びているとき、シャワーカーテンが身体に纏わりつくことがあった。従来の先行技術としては、一枚物のシャワーカーテンの長さを短くしたり、身体に纏わりつきにくい材質でシャワーカーテンを作製する方法しかなかった。
【発明の開示】
【発明が解決しようとする課題】
【０００３】  ユニットバスで使用する従来のシャワーカーテンは、上側から下側まで一枚もので、浴槽に入る側の天井に設けたカーテンレールや、天井付近に渡したカーテンポールから吊り下げて、床方向へ垂らしたシャワーカーテンを左右に動かして開くようにし、使用するときは、浴槽へ出入りする側からシャワーカーテンの裾部を浴槽の中へ垂らし、溜めた湯面から浴槽の中に深く垂らし、シャワーカーテンの一方の端部を動かして、浴槽へ出入りする側をシャワーカーテンで遮るようにして使用していたため、湯水を溜めた浴槽の中に垂らしたシャワーカーテンの裾部が、浴槽の湯水の中波打つように泳いで動き、浴槽の中で、浴槽に浸かっている人のじゃまになったり、シャワーを浴びているとき、シャワーカーテンが身体に纏わりつくことがあり、纏わりついたシャワーカーテンが気持ち悪かったり、冬季はシャワーカーテンが身体に纏わりつき冷たくてビクッと驚くことがあり、浴槽外に湯水が飛び散ることを防ぐ従来の特長を残したまま、浴槽の中でじゃまになりにくく、さらに、浴槽の湯水の中で、シャワーカーテンの裾部が波打つように泳いで動き、シャワーを浴びているとき、シャワーカーテンが身体に纏わりつくといった問題があった。
【課題を解決するための手段】
【０００４】  従来の上から下まで一枚物のシャワーカーテンの長さを短くすることで、浴槽の中で、湯水に浸かっている人のじゃまになりにくくなるが、シャワーカーテンが短い一枚物であると、身体を動かしているうちに誤って浴槽の中に垂らしていたシャワーカーテンの裾部が浴槽の外に垂れてしまい、シャワーを浴びているときに、シャワーカーテンに飛び散った湯水によって、浴槽の外のユニットバスの床を濡らしてしまうことが生じかねないので、シャワーカーテンの裾部を内側の裾部と外側の裾部の二股に分け、浴槽の中に垂らす内側の裾部の下端の長さを、少なくとも、浴槽へ出入りする側の上縁を覆いながら、上縁付近から浴槽に溜めた湯面付近か、湯面から少し潜り込ませるくらいの位置に来るように短めにして浴槽の中に垂らし、外側の裾部は浴槽の外に垂らせるシャワーカーテンとすることで、内側の裾部は、浴槽へ出入りする側の上縁付近から浴槽に溜めた湯水の湯面付近か、湯面から少し潜るくらい短くなっており、浴槽の外に垂らしているシャワーカーテン外側の裾部に接続されているので、浴槽の中に垂らした内側の裾部は、浴槽の中に溜めた湯水の中を大きく波打つように、泳いで動くことが少なくなり、浴槽に浸かっている人のじゃまになりにくく、また、浴槽の外に垂らしたシャワーカーテン外側の裾部と、浴槽の内側に垂らしたシャワーカーテン内側の裾部で、浴槽へ出入りする側の上縁を挟んでいるので、従来の上から下まで一枚物のシャワーカーテンを単純に短めにするより、シャワーを浴びているときに身体を動かしても、誤って、シャワーカーテン内側の裾部が浴槽の外に垂れてしまうようなことが殆どなくなり、シャワーカーテンに飛び散った湯水を遮って、浴槽の外のユニットバスの床を濡らすことも殆どなくなるのである。
【発明の効果】
【０００５】  本発明のシャワーカーテンを使用することで、従来の一枚物のシャワーカーテンと同じように、浴槽やシャワーを浴びているときに飛び散った湯水が、浴槽の外側の床を濡らさないように遮ることに加えて、シャワーカーテンの裾部が二股に分かれているので、浴槽に出入りする側の上縁を、内側の裾部と、外側の裾部で挟むように使用するため、シャワーカーテンの裾部が浴槽に溜めた湯水の中で泳ぎ、シャワーカーテンの下端が大きく波打ったり、大きく泳ぐことがなくなるので、浴槽に浸かっている人のじゃまになりにくくなり効果的である。【０００６】  従来の一枚物のシャワーカーテンでは、浴槽の外側に裾部がはみ出さないように、浴槽の底に届くくらい長く作られているので、浴槽に身体を浸けているとき、シャワーカーテンの裾部が湯水を溜めた浴槽の中を泳いで動き、浴槽に横たえている身体の横側に接触して嫌な思いをしていたが、シャワーカーテンの内側の裾部を短くすることにより、浴槽の中で、身体を横たえていても、殆ど身体に接触することがなくなり効果的である。【０００７】  従来の一枚物のシャワーカーテンの裾部は、湯水を溜めた浴槽の底に届くくらい長かったため、浴槽に身体を浸けるとき、誤って、シャワーカーテンの裾部を身体の下に巻き込んで、引っ張り下げて、シャワーカーテンを吊り下げているカーテンレールから外れてしまうことがあったが、内側の裾部を短くすることで、浴槽に浸かっているとき、シャワーカーテンの裾部を、誤って、身体の下に巻き込んで引っ張り下げることがなくなるのである。【０００８】  浴槽に湯水を溜めたまま、浴びているシャワーが飛び散って浴槽の外のユニットバスの床を濡らさないように、シャワーカーテンを引いてシャワーを浴びる際、シャワーカーテンの裾部が浴槽に溜めた湯水の中で泳ぎ、シャワーカーテンが大きく波打ったり、動くことで身体と接触し、シャワーカーテンに身体が触れたとき、お互い濡れていることもあり、身体にシャワーカーテンが纏わりつきやすくなるが、本発明の裾部が二股に分かれたシャワーカーテンは、浴槽に出入りする側の上縁を、内側の裾部と、外側の裾部で挟むように使用するため、シャワーカーテンの裾部が浴槽に溜めた湯水の中で波打つように動くことが少なくなり、身体にシャワーカーテンが纏わりつくこともほとんどなくなり、特に、冬季において、冷たい水滴が付着しているシャワーカーテンが身体に纏わりついてびっくりして嫌な思いをすることが殆どなくなり効果的である。【０００９】  天井付近からシャワーカーテンを吊り下げると、シャワーカーテン上側を一定の間隔でポリフックなどで天井付近から吊るしてシャワーカーテンの下端全てを浴槽の中に垂らしているため、浴槽へ出入りする側の浴槽内面と、垂らしたシャワーカーテンの下側の外面との間には、シャワーカーテンがよれて、部分的に隙間を作りやすくなり、シャワーを浴びるとき、シャワーを浴びている人の身体にシャワーカーテンが接触しやすくなってしまうが、本発明のシャワーカーテンでは、従来の一枚物のシャワーカーテンに比べて、浴槽へ出入りする側の浴槽内面に、内側の裾部の内面が張り付き、外側の裾部は浴槽の外に垂らしているので、シャワーカーテンがよれたり、動��たりして、シャワーを浴びている人の身体に接触しにくくなり効果的である。【００１０】  従来の一枚物のシャワーカーテンは、浴槽へ出入りする側の真上の天井の位置から吊るしていたので、裾部を浴槽の中へ斜め方向に吊るすことになり、シャワーカーテンを引いてシャワーを浴びるときなど、浴槽の上方が狭くならざるを得なかったが、本発明のシャワーカーテンは、外側の裾部と内側の裾部で浴槽へ出入りする側の上縁を覆って挟んでいる状態になっているので、浴槽の浴槽へ出入りする側の真上の位置からシャワーカーテンを吊るしても、外側の裾部はまっすぐ浴槽の外側に垂れ下がり、浴槽の上方のスペースを広くすることができ、さらに、浴槽の外側に少し移動させた天井の位置からシャワーカーテンを吊るしても、使用上、問題がないので、シャワーカーテンを吊るす位置を浴槽へ出入りする側の真上から浴槽の外側に少し移動させてシャワーカーテンを吊るすことで、シャワーカーテンを引いたとき、浴槽の上方のスペースをより広がらせることができ、シャワーを浴びるとき、身体を動かしても、浴槽へ出入りする側で引いて遮っているシャワーカーテンに身体が接触しにくくなる上に、シャワーを浴びているとき身体を動かしやすくすることができるようになり便利である。
【発明を実施するための最良の形態】
【００１１】  以下、本発明の実施の形態について説明すると、本発明は、ユニットバス（４）で使用されることの多いシャワーカーテン本体（１）の裾部を内側の裾部（２）と外側の裾部（３）の二股に分けることにより、浴槽（５）に浸かっているとき、シャワーカーテン本体（１）の裾部がじゃまになりにくくし、さらに、シャワーを浴びているとき、シャワーカーテン本体（１）が身体に纏わりつきにくくするものである。【００１２】  裾部が、内側の裾部（２）と外側の裾部（３）の二股に分かれたシャワーカーテン本体（１）を使用するときは、浴槽（５）へ出入りする側（６）の天井から吊り下げるか、天井付近に取り付けた棒状体のカーテンポールに吊り下げて、シャワーカーテンを左右に動かし、浴槽（５）に出入りする側（６）をシャワーカーテンで遮るようにしながら、内側の裾部（２）を、浴槽（５）へ出入りする側（６）の上縁を覆うようにして浴槽（５）の中に入れて垂らし、外側の裾部（３）を、浴槽（５）へ出入りする側（６）の上縁から浴槽（５）の外側に垂らして、浴槽（５）へ出入りする側（６）の上縁を、内側の裾部（２）と外側の裾部（３）で挟み込むようにして使用するのである。【００１３】  裾部を内側の裾部（２）と外側の裾部（３）に分けて二股にする位置は、天井や天井付近から吊り下げたシャワーカーテン本体（１）の高い位置から二股に分けると、従来のシャワーカーテンを浴槽（５）の中に垂らしたときと同じように、内側の裾部（２）がシャワーを浴びている人と接触しやすくなるので、浴槽（５）へ出入りする側（６）の上縁の高さを考慮しながら、天井や天井付近から吊り下げて垂らしたシャワーカーテン本体（１）の裾部の二股に分かれた部分が、浴槽（５）に出入りする側（６）の上縁の少し上方に来るように位置決めして、シャワーカーテン本体（１）の裾部の二股に分ける位置を決めると効果的である。【００１４】  シャワーカーテン本体（１）を内側の裾部（２）と外側の裾部（３）の二股に分ける方法は、一枚物のシャワーカーテン本体（１）の裾部を内側の裾部（２）と外側の裾部（３）に分かれるように一体で作製しても、一枚物のシャワーカーテン本体（１）に内側の裾部（２）を取り付けて作製しても、一枚物のシャワーカーテン本体（１）を短めにして内側の裾部（２）として、外側の裾部（３）を取り付けて作製しても、二枚のシャワーカーテン本体（１）を用いて、上側部分を張り合わせ、下側の裾部分は張り合わせず内側の裾部（２）と外側の裾部（３）に分けたりして、シャワーカーテン本体（１）の裾部が二股に分かれていれば、どのようにシャワーカーテン本体（１）を作製しても良いのである。また、シャワーカーテン本体（１）は、なるべく厚さが薄いものを用いると、天井や天井付近から吊り下げたシャワーカーテン本体（１）を左端や右端に寄せて束ねた際、嵩張りを少なくでき効果的である。【００１５】  シャワーカーテン本体（１）の裾部を内側の裾部（２）と外側の裾部（３）の二股に分けることで、浴槽（５）に出入りする側（６）の上縁を、シャワーカーテン本体（１）の裾部で挟むように、内側の裾部（２）を浴槽の中に入れ、外側の裾部（３）を浴槽（５）の外に垂らして使用することで、浴槽��５）の外に垂らしたシャワーカーテン本体（１）の外側の裾部（３）に支えられているので、湯水を溜めた浴槽（５）の中で、シャワーカーテン本体（１）の内側の裾部（２）が、よれたり、波打つように泳いで大きく動くことがなくなり効果的である。【００１６】  シャワーカーテン本体（１）の裾部を内側の裾部（２）と外側の裾部（３）の二股に分けても、浴槽（５）へ出入りする側（６）の上縁の少し上方で、内側の裾部（２）と、外側の裾部（３）に分かれているだけなので、従来の一枚物のシャワーカーテンと同様に、浴槽（５）やシャワーから飛び散る湯水を遮ることに問題はないのである。【００１７】  シャワーカーテン本体（１）の内側の裾部（２）の長さは、従来のシャワーカーテンのように、浴槽（５）の中の底近くまで届くような長さにする必要はなく、内側の裾部（２）の下端が、少なくとも、浴槽（５）へ出入りする側（６）の上縁を覆って、浴槽（５）の中に少し垂れていれば良く、長くする場合でも、浴槽（５）の中に垂らして、浴槽（５）に湯水を溜めた湯面（９）付近や、湯面（９）から少し潜るくらいの位置に来るくらいの長さがあれば十分であり、内側の裾部（２）の長さを、外側の裾部（３）より短くしても、浴槽（５）へ出入りする側（６）の外に垂らした外側の裾部（２）で支えられているので、入浴やシャワーを浴びているとき、内側の裾部（２）が、自然に、浴槽（５）へ出入りする側（６）の上縁から浴槽（５）の外に引っ張り出されて垂れることはないのである。【００１８】  また、浴槽（５）へ出入りする側（６）に排水口（１２）が設けられているユニットバス（４）の場合は、内側の裾部（２）の下端が排水口（１２）を塞がないように、排水口（１２）の上側に位置する長さにすると、排水口（１２）を塞いで、浴槽（５）に溜めた湯水が浴槽（５）から溢れさせることがなく効果的である。【００１９】  シャワーカーテン本体（１）を天井付近から吊り下げて浴槽（５）へ出入りする側（６）を遮るように使用する外側の裾部（３）の横幅は、シャワーを浴びているときの湯水が浴槽（５）の外側に飛び散ることがなくなるように、浴槽（５）へ出入りする側（６）を遮れるような横幅があった方が良いが、内側の裾部（２）の横幅は、浴槽（５）に出入りする側（６）の上縁から左右の奥に続く上縁や、洗面台の下側など、内側の裾部（２）を浴槽（５）へ出入りする側（６）の上縁を覆うのにじゃまになる場合は、浴槽（５）の外側に垂らす外側の裾部（３）の横幅と同じでなく良く、外側の裾部（３）の横幅に比べて、内側の裾部（２）の横幅を狭くしても良いのである。【００２０】  シャワーカーテン本体（１）の外側の裾部（３）の長さは、浴槽（５）へ出入りする側（６）の上縁から浴槽（５）の外へ垂らすことができれば、内側の裾部（２）と同じ長さでも、内側の裾部（２）より短めにしても良いが、外側の裾部（３）は、内側の裾部（２）より長くして、浴槽（５）へ出入りする側（６）の上縁から床（１０）までの間の長さで、内側の裾部（２）の長さより長くして垂らしておけば、内側の裾部（２）を、浴槽（５）の中に垂らしたとき、浴槽（５）へ出入りする側（６）の上縁を、内側の裾部（２）と外側の裾部（３）で挟み込ん���、ある程度、内側の裾部（２）と外側の裾部（３で固定するように支えることができ、浴槽（５）へ出入りする側（６）の上縁から浴槽（５）の中へ垂らしている内側の裾部（２）がより動きにくくなり、浴槽（５）に浸かっている人のじゃまにならないようにできる。【００２１】  シャワーカーテン本体（１）の材質は、従来と同じように、ポリエステルやナイロンなどの合成樹脂シートを用いて良いのであるが、裾部が内側の裾部（２）と外側の裾部（３）の二股に分かれているシャワーカーテン本体（１）なので、なるべく薄く、柔らかい材質で、撥水性を有していた方が、シャワーカーテン本体（１）を動かしているときスムーズに動かすことができ、カーテンレール（７）の左端や右端に束ねているとき嵩張らないので効果的である。また、ポリエステルやナイロンなどを用いると、一般家庭向きに色柄デザインをいろいろ作製することが可能になり、塩化ビニールやＥＶＡなどの材質を使用すると、色柄デザインに制約が出てきますが難燃性を高めることができるので、ホテルなどの業務用で使用することができるようになり効果的である。【００２２】  ユニットバス（４）の型式によって、浴槽（５）へ出入りする側（６）の上縁の形状が均一ではなく、上縁の幅の広さが違ったり、上縁が直線状であったり、浴槽（５）へ出入りする側（６）が浴槽（５）の中側や外側に緩やかに湾曲していたりしているので、シャワーカーテン本体（１）の内側の裾部（２）は、なるべく薄く、なるべく柔らかい材質にすると、内側の裾部（２）で、浴槽（５）へ出入りする側の上縁を覆うとき、上縁の幅の広さや形状が違っても、上縁に沿って、上縁を覆い、内側の裾部（２）の下端は、上縁から浴槽（５）へ出入りする側（６）の内面に沿わせながら、浴槽（５）の中へ垂れ下がらせやすくなるので効果的である。【００２３】  浴槽（５）にシャワーカーテン本体（１）を取り付けるときは、従来と同じように、浴槽（５）に出入りする側（６）の天井にカーテンレール（７）を設けて、シャワーカーテン本体（１）の上側に穴部（１１）を設けて、その穴部（１１）にポリフック（８）や金属フックを取り付けてカーテンレール（７）に吊るして取り付けたり、天井付近にカーテンポールを、浴槽（５）へ出入りする側（６）の上縁と平行に渡して取り付けて、カーテンポールに取り付けるためのレールパーツであるカーテンポール用リングランナーをシャワーカーテン本体（１）の上側に設けた穴部（１１）に取り付けて吊り下げたりして、浴槽（５）に出入りする側（６）で、シャワーカーテン本体（１）を引いて遮ったり、シャワーカーテン本体（１）を左右に動かせるようにすると便利である。【００２４】  また、シャワーカーテン本体（１）を取り付けたとき、天井の高さや浴槽（５）へ出入りする側（６）の高さがそれぞれメーカーや型式で異なるので、シャワーカーテン（１）を内側の裾部（２）と外側の裾部（３）の二股に分けた位置が、浴槽（５）へ出入りする側（６）の上縁の上方の丁度よい位置に来るように調整できるようにするために、シャワーカーテン本体（１）をカーテンレール（７）やカーテンポールに取り付ける際、ポリフック（８）や金属フック、リングランナーの一個、一個を��に接続させて長さを調節したり、長さを調節できるチャーンで吊るすことことにより、天井や天井付近から吊るしたシャワーカーテン本体（１）の高さを調節できるようになり、シャワーカーテン本体（１）の上側と、取り付けている天井付近に隙間ができていても、故意にシャワーノズルをシャワーカーテン本体（１）を取り付けた天井付近に向けて湯水を飛ばさない限り、シャワーカーテン本体（１）を取り付けた天井付近から湯水が浴槽の外側へ飛び散ることはほとんどなく、差し障りが少ないので、シャワーカーテン本体（１）をカーテンレール（７）やカーテンポールに取り付ける際、ポリフック（８）や金属フック、リングランナーを用いて、シャワーカーテン本体（１）を内側の裾部（２）と外側に裾部（３）の二股に分けた位置が、浴槽（５）へ出入りする側（６）の上縁の少し上方の、丁度よい位置に来るように調整できるようにすれば効果的である。
【実施例１】
【００２５】  図１は、本発明の実施例を示す正面図であり、シャワーカーテン本体（１）の裾部を、内側の裾部（２）と外側の裾部（３）の二股に分け、シャワーカーテン本体（１）の上側に穴部（１１）を設ける。【００２６】  図２では、本発明の使用状態を浴槽（５）の内側から見たときの正面図であり、シャワーカーテン本体（１）の上側に設けた穴部（１１）にポリフック（８）を取り付け、ポリフック（８）で、ユニットバス（４）などの浴室の天井に設けたカーテンレール（７）から吊り下げられたシャワーカーテン本体（１）を、浴槽（５）へ出入りする側（６）を遮るように引いて動かすとき、シャワーカーテン本体（１）の内側の裾部（２）は、浴槽（５）へ出入りする側（６）から浴槽（５）の上縁を覆って浴槽（５）の中へ垂らし、シャワーカーテン本体（１）の外側の裾部（３）は、浴槽（５）へ出入りする側（６）の上縁から浴槽（５）の外、つまり、ユニットバス（４）の床（１０）側へ垂らして使用するのである。【００２７】  図３では、本発明の使用状態を浴槽（５）の外側から見たときの正面図であり、シャワーカーテン本体（１）の上側に設けた穴部（１１）にポリフック（８）を取り付け、ポリフック（８）で、ユニットバス（４）などの浴室の天井に設けたカーテンレール（７）から吊り下げて取り付けられたシャワーカーテン本体（１）を、浴槽（５）へ出入りする側（６）を遮るようにシャワーカーテン本体（１）を引いて動かすとき、シャワーカーテン本体（１）の外側の裾部（３）は、浴槽（５）へ出入りする側（６）の上縁から浴槽（５）の外、つまり、ユニットバス（４）の床（１０）側へ垂らしながら、シャワーカーテン本体（１）の内側の裾部（２）は、浴槽（５）へ出入りする側（６）から浴槽（５）の上縁を覆って浴槽（５）の中へ垂らして、浴槽（５）へ出入りする側（６）を遮るようにシャワーカーテン本体（１）を引いて使用するのである。【００２８】  図４では、浴槽（５）へ出入りする側（６）の上縁への取り付け状態を示す断面図であり、シャワーカーテン本体（１）の上側に設けた穴部（１１）に取り付けたポリフック（８）によって、天井のカーテンレール（７）から吊り下げられたシャワーカーテン本体（１）の裾部を、浴槽（５）へ出入りする側（６）の上縁への取り付けるとき、ユニットバス（４）の天井に設けたカーテンレール（７）から吊るして垂らしたシャワーカーテン本体（１）を、カーテンレール（７）に沿って、浴槽（５）へ出入りする側（６）を遮るように引いて動かし、浴槽（５）へ出入りする側（６）の上方で二股に分かれているシャワーカーテン本体（１）の裾部うち、外側の裾部（３）を浴槽（５）の外へ垂らし、内側の裾部（２）を上縁を覆うようにしながら浴槽（５）の中へ垂らすことで、従来の一枚物のシャワーカーテンと同じように、浴槽（５）側から飛び散った湯水で、浴槽（５）外側のユニットバス（４）の床（１０）を濡らすことない上に、加えて、浴槽（５）へ出入りする側（６）の上縁を、内側の裾部（２）と外側の裾部（３）で挟み込んで、ある程度、固定するように支えている状態になっているので、浴槽（５）の中で、シャワーを浴びていて、内側の裾部（２）の下端が、浴槽（５）に���めた湯水の中で泳いで大きく動いて、シャワーを浴びている人に纏わりつくことも少なくなる上に、湯水を溜めた浴槽（５）の中で、内側の裾部（２）の下端が、浴槽（５）へ出入りする側（６）の上縁を覆うようにして、浴槽（５）に溜めた湯水の湯面（９）付近に位置させておけば、従来のように、浴槽（５）に横たわって浸かっている人のじゃまになることがほとんどなくなるのである。【００２９】  シャワーカーテン本体（１）の内側の裾部（２）は、長くし過ぎて、従来の一枚物のシャワーカーテンと同じく、湯水を溜めた浴槽（５）の中でじゃまにならず、短くし過ぎて、浴槽（５）の中で浸かっている人が動いただけで、浴槽（５）の中に垂らしていた内側の裾部（２）が、浴槽（５）へ出入りする側（６）から外側に引っ張り出されて、浴槽（５）からやシャワーを浴びているとき、飛び散った湯水が浴槽（５）の外のユニットバス（４）の床（１０）を濡らさないような長さ、つまり、浴槽（５）の中に湯水を溜めると、浴槽（５）の上側に取り付けてある排水口（１２）から排水され、排水口（１２）より上に湯水は溜まらないので、浴槽（５）に湯水を溜めたとき、少なくとも内側の裾部（２）で、浴槽（５）の出入りする側（６）の上縁を覆っている状態の位置から浴槽（５）に溜めた湯水の上面である湯面（９）よりやや上側の位置くらいか、湯面（９）と同じくらいの位置か、湯面（９）を少し潜るくらいの位置の間に、内側の裾部（２）の下端が来るように、内側の裾部（２）の長さを調節すると効果的である。【００３０】  シャワーカーテン本体（１）の外側の裾部（３）は、従来の一枚物のシャワーカーテンと同じくらいの長さでも良く、浴槽（５）に出入りする側（６）の上縁から浴槽（５）の外に垂らしておいた外側の裾部（３）が、浴槽（５）に浸かっている人が動くことで、容易に、浴槽（５）の内側に垂れないように、少なくとも、浴槽（５）に出入りする側（６）の上縁より下側に垂れ下がっている長さから、ユニットバス（４）の床（１０）までの長さの間で決めると効果的である。【００３１】  シャワーカーテン本体（１）の裾部を、内側の裾部（２）と外側の裾部（３）の二股に分ける位置は、浴槽（５）へ出入りする側（６）の浴槽（５）の出入りする側（６）の上縁の高さがメーカーや型式でそれぞれ異なるため、浴槽（５）へ出入りする側（６）に、シャワーカーテン本体（１）を垂らした際、浴槽（５）へ出入りする側（６）の浴槽（５）の上縁から、浴槽（５）の中へ内側の裾部（２）を垂らし、外側の裾部（３）を浴槽（５）の上縁から外へ垂らすことができるように、シャワーカーテン本体（１）を吊り下げる天井や天井付近から浴槽（５）の上縁の高さを考慮して、大体、浴槽（５）の出入りする側（６）の上縁付近の上方に、シャワーカーテン本体（１）下側が、内側の裾部（２）と外側の裾部（３）として二股に分かれる位置が来るようにすると効果的である。【００３２】  シャワーカーテン本体（１）の材質は、従来の一枚物のシャワーカーテンと同じように、撥水性を有しているポリエステルや塩化ビニール、ＥＶＡ、ナイロンなどの合成樹脂を用いて軟質シート状に作製して良いのであり、一般家庭用、業務用など使用先によって材質をか��ると効果的である。また、裾部が内側の裾部（２）と外側の裾部（３）の二股に分かれているため、なるべく、薄く、柔らかい性質の材質を用いたシート状に作製すると、カーテンレール（７）に沿って、シャワーカーテン本体（１）を左右に動かすときスムーズに動かしやすくなり、カーテンレール（７）の左端や右端に束ねる際も、嵩張りにくくなり効果的であり、内側の裾部（２）と外側の裾部（３）の材質は、同じでも、異なっていてもどちらでも良いのである。【００３３】  シャワーカーテン本体（１）を浴槽（５）へ出入りする側（６）に取り付けるときは、ユニットバス（４）の浴槽（５）へ出入りする側（６）をシャワーカーテン本体（１）で遮ったり、シャワーカーテン本体（１）を左右に移動させることができれば、ユニットバス（４）の浴槽（５）へ出入りする側（６）の天井に設けたカーテンレール（７）に、シャワーカーテン本体（１）の上側に設けた穴部（１１）に、取り付けたポリフック（８）などで吊るして取り付けても、天井付近に棒状体のカーテンポールを浴槽（５）へ出入りする側（６）の上縁に平行になるように渡して、シャワーカーテン本体（１）の上側に設けた穴部（１１）に、シャワーカーテンポール用リングライナーを取り付けて、カーテンポールからシャワーカーテン本体（１）を吊るして取り付けてもどちらでも良いのである。【００３４】  本発明は、シャワーカーテン本体（１）の裾部を内側の裾部（２）と外側の裾部（３）に分けて二股にすることで、湯水を溜めた浴槽（５）の中で、シャワーカーテン本体（１）の裾部がじゃまになりにくく、また、シャワーカーテン本体（１）の裾部が浴槽（５）に溜めた湯水の中で大きく泳いで動き、身体に纏わりつきにくくするものであり、シャワーカーテン本体（１）のデザインや意匠、取り付け方を述べているものではないのである。
【図面の簡単な説明】
【００３５】
【図１】本発明の実施例を示す正面図である。
【図２】本発明の使用状態を浴槽の内側から見た正面図である。
【図３】本発明の使用状態を浴槽の外側から見た正面図である。
【図４】シャワーカーテンの取り付け状態を示す断面図である。
【符号の説明】
【００３６】    １  シャワーカーテン本体
２  内側の裾部
３  外側の裾部
４  ユニットバス
５  浴槽
６  出入りする側
７  カーテンレール
８  ポリフック
９  湯面
１０  床
１１  穴部
１２  排水口
【手続補正２】
【補正対象書類名】図面
【補正対象項目名】全図
【補正方法】追加
【補正の内容】
【図１】
2005066293.tif 000003
【図２】
2005066293.tif 000004
【図３】
2005066293.tif 000005
【図４】
2005066293.tif 000006